(57)【要約】      （修正有）【課題】複数の外部端末の端末情報が機器に登録される通信システムにおいて、意図しない使用者用端末情報の誤削除を防止する。【解決手段】機器１と外部端末３、５とが通信可能に接続される通信システムであって、機器１は、接続を許可する外部端末３、５の端末情報を登録する外部端末登録部と、外部端末登録部への外部端末３、５の端末情報の登録を制御する登録制御部とを有する。外部端末登録部は、使用者用外部端末３の使用者用端末情報を登録する使用者用記憶部と、機器１のメンテナンスを行う作業者が用いる作業者用外部端末５の作業者用端末情報を登録する作業者用記憶部とを有している。登録制御部は、所定の削除条件が満たされるときに作業者用端末情報のみを作業者用記憶部から削除する。【選択図】図１
2020136789.tif 000002
【特許請求の範囲】
【請求項１】
機器と外部端末とが通信可能に接続される通信システムであって、
機器は、接続を許可する外部端末の端末情報を登録する外部端末登録部と、外部端末登録部への外部端末の端末情報の登録を制御する登録制御部とを有し、
外部端末登録部は、機器の使用者が用いる使用者用外部端末の使用者用端末情報を登録する使用者用記憶部と、機器のメンテナンスを行う作業者が用いる作業者用外部端末の作業者用端末情報を登録する作業者用記憶部とを有しており、
登録制御部は、所定の削除条件が満たされると、外部端末登録部に登録された端末情報のうち作業者用端末情報を作業者用記憶部から削除する構成を有する通信システム。
【請求項２】
請求項１に記載の通信システムにおいて、
機器または作業者用外部端末の少なくともいずれか一方は、作業者用端末情報を作業者用記憶部から削除するための削除指示手段を有し、
登録制御部は、削除指示手段によって作業者用端末情報の削除指示がなされると、作業者用記憶部から作業者用端末情報を削除する通信システム。
【請求項３】
請求項１に記載の通信システムにおいて、
機器は、エラー履歴や運転履歴等の動作情報を記憶する動作情報記憶部を有し、
登録制御部は、作業者用外部端末と通信状態にある機器から作業者用外部端末への動作情報の送信が完了すると、作業者用記憶部から作業者用端末情報を削除する通信システム。
【請求項４】
請求項１に記載の通信システムにおいて、
登録制御部は、作業者用外部端末と非通信状態にある機器の電源が所定回数オフあるいはオンされるか、または作業者用外部端末と機器の非通信時間が所定の削除時間に達すると、作業者用記憶部から作業者用端末情報を削除する通信システム。
【請求項５】
請求項１に記載の通信システムにおいて、
登録制御部は、作業者用記憶部に登録されていない未登録の作業者用外部端末の作業者用端末情報が新たに作業者用記憶部に登録されるか、使用者用記憶部に登録されていない未登録の使用者用外部端末の使用者用端末情報が新たに使用者用記憶部へ登録されるか、または機器と使用者用記憶部に登録されていた使用者用端末情報の使用者用外部端末とが通信接続されると、作業者用記憶部から登録されていた作業者用端末情報を削除する通信システム。
【請求項６】
請求項１に記載の通信システムにおいて、
登録制御部は、機器のメンテナンスを開始するとき、今回の作業者用外部端末の作業者用端末情報が作業者用記憶部に登録されている前回の作業者用端末情報と一致するかどうかを判定し、
今回の作業者用外部端末の作業者用端末情報が作業者用記憶部に登録されている前回の作業者用端末情報と一致する場合、作業者用記憶部から登録されていた前回の作業者用端末情報を削除せず、
今回の作業者用外部端末の作業者用端末情報が作業者用記憶部に登録されている前回の作業者用端末情報と一致しない場合、今回の作業者用外部端末の作業者用端末情報が作業者用記憶部に登録されると、作業者用記憶部から登録されていた前回の作業者用端末情報を削除する通信システム。
【請求項７】
機器と外部端末とが通信可能に接続される通信システムであって、
機器は、接続を許可する外部端末の端末情報を登録する外部端末登録部と、外部端末登録部への外部端末の端末情報の登録を制御する登録制御部とを有し、
外部端末登録部は、機器の使用者が用いる使用者用外部端末の使用者用端末情報と、機器のメンテナンスを行う作業者が用いる作業者用外部端末の作業者用端末情報とを異なる登録形式で登録し、
登録制御部は、所定の削除条件が満たされると、外部端末登録部に登録された端末情報のうち作業者用端末情報を外部端末登録部から削除する構成を有する通信システム。
【発明の詳細な説明】
【技術分野】
【０００１】
本発明は、機器と外部端末とが通信可能に接続される通信システムに関する。特に、本発明は、複数の外部端末の端末情報が機器に登録される通信システムに関する。
【背景技術】
【０００２】
従来、所定の場所に設置される機器と持ち運び可能な外部端末との間で種々の情報を相互に通信する通信システムが知られている。例えば、一の加熱調理器に対して複数の外部端末の端末情報が登録され、加熱調理器に登録された端末情報と外部端末から送信された端末情報とを照合して、加熱調理器と外部端末とを通信接続する通信システムが提案されている（例えば、特許文献１）。
【先行技術文献】
【特許文献】
【０００３】
【特許文献１】特開２０１７−２０７２２４号公報
【発明の概要】
【発明が解決しようとする課題】
【０００４】
ところで、上記のような通信システムを利用して、サービスマンなどの作業者が動作点検や故障診断等の機器のメンテナンスを行う場合がある。このような場合、機器の使用者と同様に、作業者が使用する外部端末の端末情報が機器に登録される（以下、これらの外部端末及び端末情報を総称する場合、それぞれ単に「外部端末」及び「端末情報」という。また、各外部端末を意味する場合、「使用者用外部端末」及び「作業者用外部端末」といい、各端末情報を意味する場合、「使用者用端末情報」及び「作業者用端末情報」という）。
【０００５】
しかしながら、機器に搭載された情報記憶部の記憶容量や機器の通信処理能力には制限があるため、機器に登録可能な端末情報の登録枠数にも上限がある。また、メンテナンスは異なる作業者用外部端末を使用して行われる場合もあるため、全ての作業者用外部端末の作業者用端末情報を機器に登録するのは現実的に困難である。そのため、メンテナンスの終了ごとに作業者が登録した作業者用端末情報を削除することが望まれるが、複数の外部端末を登録可能な機器では、作業者が誤って使用者用端末情報を削除しやすい。その結果、登録が削除された使用者は、使用者用端末情報を再登録しなければならないという問題がある。
【０００６】
本発明は上記課題を鑑みてなされたものであり、本発明の目的は、複数の外部端末の端末情報が機器に登録される通信システムにおいて、意図しない使用者用端末情報の誤削除を防止することにある。
【課題を解決するための手段】
【０００７】
本発明の一局面によれば、
機器と外部端末とが通信可能に接続される通信システムであって、
機器は、接続を許可する外部端末の端末情報を登録する外部端末登録部と、外部端末登録部への外部端末の端末情報の登録を制御する登録制御部とを有し、
外部端末登録部は、機器の使用者が用いる使用者用外部端末の使用者用端末情報を登録する使用者用記憶部と、機器のメンテナンスを行う作業者が用いる作業者用外部端末の作業者用端末情報を登録する作業者用記憶部とを有しており、
登録制御部は、所定の削除条件が満たされると、外部端末登録部に登録された端末情報のうち作業者用端末情報を作業者用記憶部から削除する構成を有する通信システムが提供される。
【０００８】
上記通信システムによれば、使用者用外部端末の使用者用端末情報及び作業者用外部端末の作業者用端末情報はそれぞれ、機器の外部端末登録部における使用者用記憶部及び作業者用記憶部の異なる領域に登録されるから、少なくとも一定数の作業者用外部端末の作業者用端末情報を機器に登録することができる。そして、上記通信システムによれば、作業者用端末情報は、使用者用端末情報が登録される使用者用記憶部と異なる作業者用記憶部に登録されるから、所定の削除条件が満たされたときに外部端末登録部から作業者用端末情報を削除するにあたって、使用者用端末情報の誤削除を防止することができる。
【０００９】
好ましくは、上記通信システムにおいて、
機器または作業者用外部端末の少なくともいずれか一方は、作業者用端末情報を作業者用記憶部から削除するための削除指示手段を有し、
登録制御部は、削除指示手段によって作業者用端末情報の削除指示がなされると、作業者用記憶部から作業者用端末情報を削除する。
【００１０】
上記通信システムによれば、機器または作業者用外部端末の少なくともいずれか一方が、作業者用端末情報を作業者用記憶部から削除するための削除指示手段を有しており、削除指示手段によって作業者用端末情報の削除指示がなされることを作業者用記憶部から作業者用端末情報が削除される削除条件とするから、作業者が意図するタイミングで作業者用端末情報を削除することができる。
【００１１】
好ましくは、上記通信システムにおいて、
機器は、エラー履歴や運転履歴等の動作情報を記憶する動作情報記憶部を有し、
登録制御部は、作業者用外部端末と通信状態にある機器から作業者用外部端末への動作情報の送信が完了すると、作業者用記憶部から作業者用端末情報を削除する。
【００１２】
上記通信システムによれば、機器が動作情報を記憶する動作情報記憶部を有しているから、機器と通信状態にある作業者用外部端末に動作情報を送信させることができる。そして、上記通信システムによれば、作業者用外部端末と通信状態にある機器から作業者用外部端末への動作情報の送信が完了することを作業者用記憶部から作業者用端末情報が削除される削除条件とするから、メンテナンス終了時に作業者が作業者用端末情報を削除する必要がない。これにより、作業効率を向上させることができるだけでなく、使用者用端末情報の誤削除を確実に防止することができる。
【００１３】
好ましくは、上記通信システムにおいて、
登録制御部は、作業者用外部端末と非通信状態にある機器の電源が所定回数オフあるいはオンされるか、または作業者用外部端末と機器の非通信時間が所定の削除時間に達すると、作業者用記憶部から作業者用端末情報を削除する。
【００１４】
上記通信システムによれば、作業者用外部端末と非通信状態にある機器の電源が所定回数オフあるいはオンされるか、作業者用外部端末と機器とが所定の削除時間以上、非通信状態であることを作業者用記憶部から作業者用端末情報が削除される削除条件とするから、メンテナンス終了時やメンテナンス中断時に作業者が登録していた作業者用端末情報を削除する必要がない。これにより、作業効率を向上させることができるとともに、使用者用端末情報の誤削除を確実に防止することができる。
【００１５】
好ましくは、上記通信システムにおいて、
登録制御部は、作業者用記憶部に登録されていない未登録の作業者用外部端末の作業者用端末情報が新たに作業者用記憶部に登録されるか、使用者用記憶部に登録されていない未登録の使用者用外部端末の使用者用端末情報が新たに使用者用記憶部へ登録されるか、または機器と使用者用記憶部に登録されていた使用者用端末情報の使用者用外部端末とが通信接続されると、作業者用記憶部から登録されていた作業者用端末情報を削除する。
【００１６】
上記通信システムによれば、作業者用記憶部に登録されていない未登録の作業者用外部端末の作業者用端末情報が新たに作業者用記憶部に登録されるか、使用者用記憶部に登録されていない未登録の使用者用外部端末の使用者用端末情報が新たに使用者用記憶部へ登録されるか、または機器と使用者用記憶部に登録されていた使用者用端末情報の使用者用外部端末とが通信接続されることを作業者用記憶部から登録されていた作業者用端末情報が削除される削除条件とするから、先のメンテナンス終了時やメンテナンス中断時に作業者が登録した作業者用端末情報を削除する必要がない。これにより、作業効率を向上させることができるとともに、使用者用端末情報の誤削除を確実に防止することができる。
【００１７】
好ましくは、上記通信システムにおいて、
登録制御部は、機器のメンテナンスを開始するとき、今回の作業者用外部端末の作業者用端末情報が作業者用記憶部に登録されている前回の作業者用端末情報と一致するかどうかを判定し、
今回の作業者用外部端末の作業者用端末情報が作業者用記憶部に登録されている前回の作業者用端末情報と一致する場合、作業者用記憶部から登録されていた前回の作業者用端末情報を削除せず、
今回の作業者用外部端末の作業者用端末情報が作業者用記憶部に登録されている前回の作業者用端末情報と一致しない場合、今回の作業者用外部端末の作業者用端末情報が作業者用記憶部に登録されると、作業者用記憶部から登録されていた前回の作業者用端末情報を削除する。
【００１８】
上記通信システムによれば、機器のメンテナンスを開始するとき、今回の作業者用外部端末の作業者用端末情報が作業者用記憶部に登録されている前回の作業者用端末情報と一致するかどうかを判定し、今回の作業者用外部端末の作業者用端末情報が作業者用記憶部に登録されている前回の作業者用端末情報と一致せず、今回の作業者用外部端末の作業者用端末情報が作業者用記憶部に登録されることを作業者用記憶部から登録されていた前回の作業者用端末情報が削除される削除条件とするから、前回のメンテナンス終了時やメンテナンス中断時に作業者が登録した作業者用端末情報を削除する必要がない。また、上記通信システムによれば、今回の作業者用外部端末の作業者用端末情報が作業者用記憶部に登録されていた前回の作業者用端末情報と一致する場合、作業者用記憶部から登録されていた前回の作業者用端末情報が削除されず、登録済の前回の作業者用端末情報を用いてメンテナンスが行われるから、今回の作業者用外部端末の作業者用端末情報を新たに登録しなおす必要がない。これにより、作業効率を向上させることができるとともに、使用者用端末情報の誤削除を確実に防止することができる。
【００１９】
本発明の他の局面によれば、
機器と外部端末とが通信可能に接続される通信システムであって、
機器は、接続を許可する外部端末の端末情報を登録する外部端末登録部と、外部端末登録部への外部端末の端末情報の登録を制御する登録制御部とを有し、
外部端末登録部は、機器の使用者が用いる使用者用外部端末の使用者用端末情報と、機器のメンテナンスを行う作業者が用いる作業者用外部端末の作業者用端末情報とを異なる登録形式で登録し、
登録制御部は、所定の削除条件が満たされると、外部端末登録部に登録された端末情報のうち作業者用端末情報を外部端末登録部から削除する構成を有する通信システムが提供される。
【００２０】
上記通信システムによれば、所定の削除条件が満たされたときに外部端末登録部から作業者用端末情報を削除するにあたって、使用者用端末情報とは異なる登録形式の作業者用端末情報のみを選択して削除することができるから、使用者用端末情報の誤削除を防止することができる。
【発明の効果】
【００２１】
以上のように、本発明によれば、複数の外部端末の端末情報が機器に登録される通信システムにおいて、意図しない使用者用端末情報の誤削除を防止することができる。これにより、使い勝手に優れる通信システムを提供することができる。
【図面の簡単な説明】
【００２２】
【図１】図１は、本発明の実施の形態１に係る通信システムの一例を示す概略構成図である。
【図２】図２は、本発明の実施の形態１に係る通信システムを構成する機器の設定操作パネルの一例を示す構成図である。
【図３】図３は、本発明の実施の形態１に係る通信システムの一例を示すブロック図である。
【図４】図４は、本発明の実施の形態１に係る通信システムを構成する機器の端末登録部の一例を示す概略構成図である。
【図５】図５は、本発明の実施の形態１に係る通信システムの通信制御動作の一例を示すフローチャートである。
【図６】図６は、本発明の実施の形態２に係る通信システムの通信制御動作の一例を示すフローチャートである。
【発明を実施するための形態】
【００２３】
（実施の形態１）
以下、本発明の実施の形態に係る通信システムについて、添付図面を参照しながら具体的に説明する。
図１に示すように、本発明の実施の形態に係る通信システムは、機器としての加熱調理器１と、所謂スマートフォンやタブレットＰＣなどの汎用または専用の外部端末３，５との間に構築される。
【００２４】
使用者は、使用者用外部端末３を用いて、調理レシピのデータを送信したり、加熱調理器１から動作状態や設定情報を受信し表示させたりする。また、作業者は、作業者用外部端末５を用いて、加熱調理器１からメンテナンスに必要な動作情報を読み出したりする。
【００２５】
加熱調理器１は、調理器本体１０の上部に載置された被加熱物を加熱調理する単数または複数のコンロ１１と、調理器本体１０の加熱庫１２０内に収容された被加熱物を加熱調理するグリル１２とを備えたガスコンロである。
【００２６】
調理器本体１０の前部には、加熱調理器１の電源をオンオフさせるための電源スイッチ１３と、コンロ１１の点火や消火、火力調整を行うためのコンロ１１用の点消火操作子１４Ａと、グリル１２の点火や消火、火力調整を行うためのグリル１２用の点消火操作子１４Ｂと、コンロ１１による自動調理メニューや加熱温度、加熱時間等の調理条件を設定入力するためのコンロ１１用の設定操作パネル１５Ａと、グリル１２による自動調理メニューや加熱温度、加熱時間等の調理条件を設定入力するためのグリル１２用の設定操作パネル１５Ｂとが設けられている。
【００２７】
調理器本体１０の内部には、アンテナ（図示せず）を介して外部端末３，５との間で種々の情報を無線により送受信するための無線通信部１６と、コンロ１１及びグリル１２による被加熱物の加熱調理や外部端末３，５との通信など加熱調理器１の全体の動作を制御する機器制御回路１９と、機器記憶部６０（図３参照）とが設けられている。
【００２８】
図２に示すように、コンロ１１用の設定操作パネル１５Ａには、コンロ１１の動作状態や設定情報を表示する表示部１５１と、コンロ１１による加熱時間や加熱温度を設定したり、湯沸しや炊飯等の自動調理モードを設定したりするための複数の調理モードスイッチ２１と、加熱時間や加熱温度、自動調理モードのさらに詳細なコースメニュー等を選択変更するためのアップダウンスイッチ２２と、アップダウンスイッチ２２によって選択された加熱時間や加熱温度、コースメニュー等を決定するための決定スイッチ２３と、動作モードを加熱調理器１の基本設定の変更や加熱調理器１への使用者用外部端末３の使用者用端末情報の登録が可能なカスタマイズモードに切り替えるための設定スイッチ２４とが設けられている。
【００２９】
グリル１２用の設定操作パネル１５Ｂには、グリル１２の動作状態や設定情報を表示する表示部１５２と、グリル１２による加熱時間や加熱温度、自動調理モード、調理レシピ等を表示部１５２に表示させるためのメニュースイッチ２５と、加熱時間や加熱温度、自動調理モード、調理レシピ等を選択変更するためのアップダウンスイッチ２６と、アップダウンスイッチ２６によって選択された調理メニュー等を決定するための決定スイッチ２７とが設けられている。なお、後述するように、コンロ１１用の設定操作パネル１５Ａのアップダウンスイッチ２２と、グリル１２用の設定操作パネル１５Ｂのアップダウンスイッチ２６とは、これらを同時押しすることにより動作モードをメンテナンスモードに切り替える設定スイッチとしても機能する。
【００３０】
図３に示すように、電源スイッチ１３、点消火操作子１４Ａ，１４Ｂ、設定操作パネル１５Ａ，１５Ｂの各表示部１５１，１５２、操作スイッチ２１〜２７、無線通信部１６、機器記憶部６０、コンロ１１及びグリル１２の図示しない各バルブユニットや鍋底温度センサなどの各種センサ１７は、電気配線を通じて機器制御回路１９に接続されている。
【００３１】
機器制御回路１９は、ＣＰＵ、ＲＯＭ、ＲＡＭ、インターフェース回路等からなる電子回路であり、その機能構成として、点消火操作子１４Ａ，１４Ｂの操作に応じてコンロ１１及びグリル１２の点火や消火、火力調整を行うバーナ制御部１９１、表示部１５１，１５２の表示を制御する表示制御部１９２、種々の経過時間を計測する計時部１９３、設定操作パネル１５Ａ，１５Ｂで設定された加熱時間や加熱温度、自動調理モードなどの動作条件に基づいてコンロ１１及びグリル１２の火力を自動制御する自動調理制御部１９４、無線通信部１６による外部端末３，５との通信を制御する通信制御部１９５、加熱調理器１のエラー履歴や運転履歴等の動作情報を記憶する動作情報記憶部１９６、外部端末登録部６１への端末情報の登録を制御する登録制御部１９７等の回路構成を有している。なお、上記運転履歴には、コンロ１１やグリル１２における調理条件の設定情報、鍋底温度センサや熱電対などの各種センサ１７の検出情報、コンロ１１やグリル１２の点火回数等が含まれる。
【００３２】
登録制御部１９７は、外部端末３，５の端末情報の外部端末登録部６１への登録及び削除を行う端末情報登録部１９８、無線通信部１６で検出された通信エリア内の外部端末３，５の端末情報と外部端末登録部６１に登録された端末情報とを照合し認証する端末認証部１９９、加熱調理器１から作業者用外部端末５への動作情報の送信が正常に完了したか否かを判定する送信判定部２００、動作情報の送信中における作業者用外部端末５との非通信時間が所定の削除時間に達したか否かを判定する非通信時間判定部２０１、削除指示操作部としての特定の一または二以上の操作スイッチ２１〜２７、または作業者用外部端末５のタッチパネル５１に表示される擬似操作キーによって、作業者用端末情報の削除指示操作がなされたか否かを判定する削除操作判定部２０２等の回路構成を有している。
【００３３】
機器記憶部６０は、外部端末３，５の端末情報を登録する外部端末登録部６１を備えており、図４に示すように、外部端末登録部６１は、単数または複数（ここでは、６台）の使用者用外部端末３の使用者用端末情報を登録する使用者用記憶部Ｐ１と、単数または複数（ここでは、１台）の作業者用外部端末５の作業者用端末情報を登録する作業者用記憶部Ｐ２とからなる領域に区分されている。なお、外部端末登録部６１は、独立した使用者用記憶部Ｐ１と作業者用記憶部Ｐ２とから構成されてもよい。
【００３４】
図１及び図３に示すように、使用者用外部端末３及び作業者用外部端末５はそれぞれ、操作機能及び表示機能を兼備するタッチパネル３１，５１と、アンテナ（図示せず）を介して加熱調理器１などの機器との間で種々の情報を無線により送受信するための無線通信部３６，５６と、タッチパネル３１，５１の操作や表示、加熱調理器１との動作を制御する端末制御回路３９，５９と、端末記憶部７０，８０とを備えている。
【００３５】
また、図示しないが、本通信システムで用いられる使用者用外部端末３及び作業者用外部端末５はいずれも、インターネット通信網を介して外部サーバとの間で種々の情報を無線により送受信するためのネットワーク通信機能を備えており、加熱調理器１で用いる調理レシピの追加データや更新データを外部サーバから取得したり、加熱調理器１から読み出した動作情報を外部サーバに送信したりすることができる。
【００３６】
本通信システムにおける加熱調理器１と外部端末３，５との間の通信は、Ｂｌｕｅｔｏｏｔｈ（登録商標）のように比較的電力消費量の少ない近距離無線通信規格により行なわれるが、他の無線通信規格によって行われてもよいし、家庭内通信ネットワークを介して行われてもよい。
【００３７】
タッチパネル３１，５１、無線通信部３６，５６、端末記憶部７０，８０は、電気配線を通じて端末制御回路３９，５９に接続されている。端末制御回路３９，５９は、ＣＰＵ、ＲＯＭ、ＲＡＭ、インターフェース回路等からなる電子回路であり、その機能構成として、タッチパネル３１，５１の操作を制御する操作制御部３９１，５９１、タッチパネル３１，５１の表示を制御する表示制御部３９２，５９２、タッチパネル３１，５１で選択された種々のアプリケーションプログラムの動作を制御するＡＰ制御部３９３，５９３、無線通信部３６，５６による加熱調理器１との通信を制御する通信制御部３９４，５９４、機器登録部７１，８１への加熱調理器１の機器情報の登録を制御する機器登録制御部３９５，５９５等の回路構成を有している。
【００３８】
端末記憶部７０，８０は、加熱調理器１の機器情報を登録する機器登録部７１，８１を有している。機器登録制御部３９５，５９５は、加熱調理器１の機器情報の機器登録部７１，８１への登録及び削除を行う機器情報登録部３９６，５９６、無線通信部３６，５６で検出された機器情報と機器登録部７１，８１に登録された機器情報とを照合し認証する機器認証部３９７，５９７、加熱調理器１との通信接続が確立した後、非通信時間が所定の削除時間に達したか否かを判定する非通信時間判定部３９８，５９８等の回路構成を有している。
【００３９】
使用者用外部端末３のＡＰ制御部３９３は、加熱調理器１に調理レシピを送信したり、加熱調理器１の動作状態や設定情報をタッチパネル３１に表示させたりすることが可能な遠隔操作用のアプリケーションプログラム（以下、「遠隔操作用ＡＰ」という）を実行する。また、作業者用外部端末５のＡＰ制御部５９３は、動作点検や故障診断など加熱調理器１のメンテナンスを行う際に、加熱調理器１から動作情報を読み出すことが可能なメンテナンス用のアプリケーションプログラム（以下、「メンテ用ＡＰ」という）を実行する。
【００４０】
次に、本実施の形態の通信システムにおける加熱調理器１と作業者用外部端末５との制御動作を、図５のフローチャートに従って説明する。なお、以下の制御動作を実行させるにあたって、作業者は、予め電源スイッチ１３をオン操作して加熱調理器１の電源をオンさせる。
【００４１】
作業者が加熱調理器１の操作スイッチ２１〜２７で所定のメンテナンスモード選択操作（例えば、コンロ１１用の設定操作パネル１５Ａのアップダウンスイッチ２２と、グリル１２用の設定操作パネル１５Ｂのアップダウンスイッチ２６とを３秒間同時長押し）を行うと、加熱調理器１は、動作モードを加熱調理可能な通常モードから、作業者用外部端末５に対して動作情報を送信可能なメンテナンスモードに移行させる（ステップＳＴ１０１）。
【００４２】
次いで、上記メンテナンスモードにおいて、作業者が操作スイッチ２１〜２７で所定の通信接続開始操作（例えば、コンロ１１用の設定操作パネル１５Ａの決定スイッチ２３を３秒間長押し）を行うと、加熱調理器１は、無線通信部１６によって自己の機器識別信号を出力させるとともに、作業者用外部端末５から出力される端末識別信号の検出（外部端末検索）を開始する（ステップＳＴ１０２）。
【００４３】
一方、図示しないが、作業者が作業者用外部端末５のタッチパネル５１に表示されるメンテ用ＡＰのアイコンをタッチ操作すると、メンテ用ＡＰが起動され、タッチパネル５１に表示される接続開始キーをタッチ操作すると、上記と同様に、無線通信部５６によって自己の端末識別信号を出力させるとともに、加熱調理器１から出力される機器識別信号の検出（機器検索）を開始する。
【００４４】
作業者用外部端末５が加熱調理器１と通信可能なエリア内にあり、加熱調理器１及び作業者用外部端末５において互いに両機の識別信号が検出されると、加熱調理器１と作業者用外部端末５との間で通信が確立される（ステップＳＴ１０３）。
【００４５】
通信が確立すると、加熱調理器１は機器情報を送信し、作業者用外部端末５は作業者用端末情報を送信してペアリング動作を実行する（ステップＳＴ１０４）。作業者用端末情報を取得した加熱調理器１は、外部端末登録部６１の作業者用記憶部Ｐ２に作業者用端末情報を登録し、機器情報を取得した作業者用外部端末５は機器登録部８１に機器情報を登録する（ステップＳＴ１０５）。これにより、両機は相互認証を行い、無線通信を実行するためのペアリングが設定される。
【００４６】
なお、加熱調理器１及び作業者用外部端末５で識別信号の検索が開始されてから一定時間が経過しても、加熱調理器１または作業者用外部端末５のいずれか一方で識別信号が正常に検出されなかった場合は、タイムエラーとして識別信号の検索を中止し、通信制御動作を終了する。
【００４７】
上記ペアリングによって加熱調理器１及び作業者用外部端末５相互が通信接続された状態になれば、加熱調理器１は、作業者用外部端末５に対してメンテナンスに必要な動作情報の送信を自動で開始する（ステップＳＴ１０６）。
【００４８】
上記動作情報の送信中に、作業者用外部端末５が加熱調理器１と通信可能なエリアから外れたり、作業者用外部端末５の電源がオフになったりすることで、両機の通信が切断され、非通信時間が所定の削除時間（例えば、１０秒間）に達した場合（ステップＳＴ１０７で、Ｙｅｓ）、加熱調理器１は、動作情報の送信を中止するとともに、作業者用外部端末５に対応する登録済みの作業者用端末情報を作業者用記憶部Ｐ２から削除し（ステップＳＴ１１０）、両機の通信が切断された状態で（ステップＳＴ１１１）通信制御動作を終了する。
【００４９】
また、上記動作情報の送信中に、作業者用端末情報の削除指示操作として、特定の操作スイッチ２１〜２７により所定の接続中断操作（例えば、コンロ１１用の設定操作パネル１５Ａの決定スイッチ２３を３秒間長押し）がなされるか、または作業者用外部端末５のタッチパネル５１に表示された読み出し中断キーがタッチ操作されたりすると（ステップＳＴ１０８で、Ｙｅｓ）、作業者用外部端末５または加熱調理器１に中断信号が送信され、上記と同様に、加熱調理器１は、動作情報の送信を中止するとともに、作業者用外部端末５に対応する登録済みの作業者用端末情報を作業者用記憶部Ｐ２から削除する（ステップＳＴ１１０）。そして、両機の通信を切断し（ステップＳＴ１１１）、通信制御動作を及び終了する。従って、本実施の形態では、加熱調理器１の決定スイッチ２３及び作業者用外部端末５の読み出し中断キーが削除指示手段として機能する。
【００５０】
一方、動作情報の送信が上記のように中止されることなく正常に完了すれば（ステップＳＴ１０９で、Ｙｅｓ）、加熱調理器１は作業者用外部端末５に完了信号を送信し、作業者用外部端末５に対応する登録済みの作業者用端末情報を作業者用記憶部Ｐ２から削除するとともに（ステップＳＴ１１０）、両機の通信を切断し（ステップＳＴ１１１）、通信制御動作を終了する。上記加熱調理器１で作業者用端末情報が作業者用記憶部Ｐ２から削除されるとき、作業者用外部端末５で機器登録部８１に登録された機器情報が削除されてもよい。
【００５１】
なお、図示しないが、使用者用外部端末３の使用者用端末情報を加熱調理器１に登録させる場合、上記と同様に、使用者は、加熱調理器１の電源をオンにさせるとともに、コンロ１１用の設定操作パネル１５Ａに設けられた設定スイッチ２４を押して、動作モードをカスタマイズモードに移行させる。また、使用者は、使用者用外部端末３のタッチパネル３１に表示される遠隔操作用ＡＰのアイコンをタッチ操作し、遠隔操作用ＡＰを起動させる。
【００５２】
上記カスタマイズモードに移行すると、加熱調理器１は、無線通信部１６によって自己の機器識別信号を出力させるとともに、使用者用外部端末３から出力される端末識別信号の検出（外部端末検索）を開始する。一方、使用者用外部端末３は、タッチパネル３１に表示される接続開始キーがタッチ操作されると、上記と同様に、無線通信部３６によって自己の端末識別信号を出力させるとともに、加熱調理器１から出力される機器識別信号の検出（機器検索）を開始する。
【００５３】
使用者用外部端末３が加熱調理器１と通信可能なエリア内にあり、加熱調理器１及び使用者用外部端末３において互いに両機の識別信号が検出され、加熱調理器１と使用者用外部端末３との間で通信が確立されると、加熱調理器１は、コンロ１１用の設定操作パネル１５Ａの表示部１５１に、使用者用外部端末３の登録を許可するためのパスコードを表示させる。そして、上記パスコードが使用者用外部端末３のタッチパネル３１に表示されるコード入力画面で入力されると、ペアリング動作が実行されて、使用者用端末情報を取得した加熱調理器１は、外部端末登録部６１の使用者用記憶部Ｐ１に使用者用端末情報を登録し、機器情報を取得した使用者用外部端末３は機器登録部７１に機器情報を登録する。
【００５４】
このとき、既に全ての使用者用記憶部Ｐ１に使用者用端末情報が登録されている場合は、任意に選択する使用者用端末情報を、新たな使用者用外部端末３の使用者用端末情報に書き換えて登録させるようにしてもよいし、予め設定された一の使用者用記憶部Ｐ１の使用者用端末情報を、新たな使用者用外部端末３の使用者用端末情報に書き換えて登録させるようにしてもよい。また、登録時期が最も古い使用者用端末情報や接続回数が最も少ない使用者用外部端末３の使用者用端末情報を、新たな使用者用外部端末３の使用者用端末情報に書き換えて登録させるようにしてもよい。
【００５５】
上記通信システムによれば、使用者用端末情報と作業者用端末情報とがそれぞれ使用者用記憶部Ｐ１と作業者用記憶部Ｐ２とに分けて登録されているから、少なくとも一定数の作業者用外部端末５の作業者用端末情報を加熱調理器１に登録することができる。そして、上記通信システムによれば、使用者用端末情報と作業者用端末情報とがそれぞれ使用者用記憶部Ｐ１と作業者用記憶部Ｐ２とに分けて登録されているから、作業者が加熱調理器１の特定の操作スイッチ２１〜２７または作業者用外部端末５の読み出し中断キーを操作することにより、加熱調理器１から作業者用端末情報を手動で削除する場合でも、使用者用端末情報が誤削除される虞がない。また、作業者が意図するタイミングで作業者用端末情報を削除することができるから、メンテナンス時の利便性及び作業性も向上させることができる。
【００５６】
また、上記通信システムでは、加熱調理器１から作業者用外部端末５へ動作情報の送信が完了するか、または送信が完了する前に、加熱調理器１と作業者用外部端末５の非通信時間が所定の削除時間に達すれば、加熱調理器１から作業者用端末情報のみが自動で削除されるから、使用者用端末情報が誤削除される虞がない。また、メンテナンス終了後に作業者用端末情報を加熱調理器１から手動で削除する手間を省略できるだけでなく、メンテナンスの途中で作業者が作業を中断させて、加熱調理器１と作業者用外部端末５との通信が切断された場合でも、作業者が登録していた作業者用端末情報を削除する必要がないから、削除忘れを防止することができるとともに、メンテナンス時の利便性及び作業性を向上させることができる。
【００５７】
なお、上記実施の形態では、動作情報の送信が完了等すると、作業者用記憶部Ｐ２に登録された作業者用端末情報が自動で削除されているが、メンテナンスの終了後に作業者が手動で削除を行ってもよい。すなわち、本実施の形態では、加熱調理器１には、使用者用端末情報と作業者用端末情報とがそれぞれ使用者用記憶部Ｐ１と作業者用記憶部Ｐ２とに分けて登録されるから、メンテナンス終了後に手動による削除を行う場合でも、削除対象として作業者用記憶部Ｐ２を選択すれば作業者用端末情報のみが削除される。これにより、使用者用端末情報の誤削除を防止することができる。
【００５８】
以上のように、本実施の形態によれば、意図しない使用者用端末情報の誤削除を確実に防止することができる。これにより、誤削除された使用者用端末情報を改めて加熱調理器１に登録する必要がないから、使い勝手を向上することができる。
【００５９】
（実施の形態２）
本実施の形態は、メンテナンス終了時や中断時に作業者用記憶部Ｐ２から作業者用端末情報を削除せず、外部端末登録部６１に登録されていない未登録の作業者用外部端末５を登録するときに、先に作業者用記憶部Ｐ２に登録されていた作業者用端末情報を新たな作業者用外部端末５の作業者用端末情報に書き換えることにより登録されていた先の作業者用端末情報が削除される以外は、上記実施の形態１と同様である。このため、加熱調理器１や外部端末３，５の構成についての説明を省略し、通信制御動作のみを説明する。なお、以下では、先にメンテナンスが実行されて、作業者用記憶部Ｐ２に前回の作業者用外部端末５の作業者用端末情報が登録されている場合について説明する。
【００６０】
図６は、本実施の形態の通信システムにおける加熱調理器１と作業者用外部端末５との制御動作を示すフローチャートである。図６に示すように、実施の形態１と同様に、加熱調理器１の動作モードがメンテナンスモードに移行され（ステップＳＴ３０１）、作業者用外部端末５でメンテ用ＡＰが起動された後、操作スイッチ２１〜２７及び接続開始キーにより所定の通信接続開始操作がなされると、加熱調理器１で外部端末検索が開始されるとともに、作業者用外部端末５で機器検索が開始される（ステップＳＴ３０２）。次いで、加熱調理器１及び作業者用外部端末５において互いに両機の識別信号が検出されると、加熱調理器１と作業者用外部端末５との間で通信が確立され、ペアリング動作が実行される（ステップＳＴ３０３〜３０４）。
【００６１】
図示しないが、上記ペアリングにおいて、今回、作業者が使用する作業者用外部端末５の作業者用端末情報が、既に外部端末登録部６１の作業者用記憶部Ｐ２に登録されている前回の作業者用端末情報と一致している場合、再度、作業者用端末情報を登録することなく、無線通信を実行するためのペアリングが設定される。一方、今回、使用する作業者用外部端末５の作業者用端末情報が作業者用記憶部Ｐ２に登録されている前回の作業者用端末情報と一致していなければ、作業者用記憶部Ｐ２に登録されていた前回の作業者用端末情報が新たな作業者用外部端末５の作業者用端末情報に書き換えられ、登録されていた作業者用端末情報が削除される（ステップＳＴ３０５）。なお、図示しないが、作業者用外部端末５でも、同様に機器情報が登録される。
【００６２】
上記ペアリングによって加熱調理器１及び作業者用外部端末５相互が通信接続された状態になれば、加熱調理器１は、作業者用外部端末５に対してメンテナンスに必要な動作情報の送信を自動で開始する（ステップＳＴ３０６）。
【００６３】
上記動作情報の送信中に、加熱調理器１と作業者用外部端末５との非通信時間が所定の削除時間に達したり、特定の操作スイッチ２１〜２７等により所定の接続中断操作がなされたりした場合（ステップＳ３０７及びＳＴ３０８で、Ｙｅｓ）、加熱調理器１から作業者用外部端末５への動作情報の送信を中止するとともに、両機の通信を切断し（ステップＳＴ３１０）、通信制御動作を終了する。このとき、登録済みの作業者用端末情報は作業者用記憶部Ｐ２から削除されない。
【００６４】
また、動作情報の送信が上記のように中止されることなく正常に完了すれば（ステップＳＴ３０９で、Ｙｅｓ）、両機の通信を切断し（ステップＳＴ３１０）、通信制御動作を終了する。このとき、上記と同様に、登録済みの作業者用端末情報は作業者用記憶部Ｐ２から削除されない。
【００６５】
上記通信システムによれば、実施の形態１と同様に、使用者用端末情報と作業者用端末情報とがそれぞれ使用者用記憶部Ｐ１と作業者用記憶部Ｐ２とに分けて登録されているから、少なくとも一定数の作業者用外部端末５の作業者用端末情報を加熱調理器１に登録することができる。そして、上記通信システムによれば、先にメンテナンスが実行されたときに作業者用記憶部Ｐ２に登録された作業者用外部端末５の作業者用端末情報は削除されないため、次にメンテナンスを実行するときに使用する作業者用外部端末５の作業者用端末情報と、先に外部端末登録部６１に登録されていた作業者用端末情報とを照合し、それらの作業者用端末情報が一致していれば、登録済みの作業者用端末情報を用いてペアリングが設定される。従って、上記作業者用外部端末５の作業者用端末情報を改めて加熱調理器１に登録しなおす必要がない。
【００６６】
また、上記通信システムによれば、作業者用記憶部Ｐ２に登録されていた作業者用外部端末５の作業者用端末情報と、使用する作業者用外部端末５の作業者用端末情報とが一致しない場合、作業者用記憶部Ｐ２に登録されていた作業者用端末情報が新たな作業者用外部端末５の作業者用端末情報に書き換えられることにより、登録されていた作業者用端末情報が自動で削除されるから、使用者用端末情報が誤削除される虞がない。また、メンテナンス終了後やメンテナンスの中断時に作業者用端末情報を加熱調理器１から手動で削除する手間を省略できるだけでなく、削除忘れも防止することができるから、メンテナンス時の利便性及び作業性も向上させることができる。
【００６７】
以上のように、本実施の形態によれば、意図しない使用者用端末情報の誤削除を確実に防止することができる。これにより、誤削除された使用者用端末情報を改めて加熱調理器１に登録する必要がないから、使い勝手を向上することができる。
【００６８】
（その他の実施の形態）
（１）上記実施の形態１では、外部端末登録部に使用者用記憶部と作業者用記憶部とが設けられ、使用者用端末情報と作業者用端末情報とが外部端末登録部の異なる領域に登録される。しかしながら、外部端末登録部を複数の領域に区分することなく、単一の外部端末登録部に使用者用端末情報と作業者用端末情報とを異なる登録形式で登録し、上記と同様に、動作情報の送信完了等による所定の削除条件が満たされたときに、外部端末登録部から所定の登録形式を有する作業者用端末情報のみを削除してもよい。この通信システムによれば、使用者用端末情報と作業者用端末情報とは異なる登録形式で外部端末登録部に登録されているから、作業者が作業者用端末情報を手動で削除するときでも、登録形式に従って作業者用端末情報のみを選択することができる。また、上記通信システムによれば、使用者用外部端末の使用者用端末情報及び作業者用外部端末の作業者用端末情報はそれぞれ、機器の外部端末登録部に異なる登録形式で登録されるから、外部端末登録部に外部端末ごとに登録する領域を設ける必要がない。なお、登録形式は、例えば、使用者用端末情報と作業者用端末情報とに所定の識別子を付与することによって異ならせることができる。
【００６９】
（２）上記実施の形態１では、動作情報の送信完了等の所定の削除条件が満たされたときに作業者用記憶部から作業者用端末情報が削除される。しかしながら、機器と作業者用外部端末とが非通信状態で、機器の電源が所定回数（１回または複数回）オフまたはオンされたときに、作業者用記憶部から作業者用端末情報が自動で削除されてもよい。機器と作業者用外部端末とが非通信状態で、機器の電源が所定回数オフまたはオンされる場合、使用者が加熱調理器を使用している可能性が高いから、作業者によるメンテナンスが終了していると考えられる。従って、この通信システムによれば、機器と作業者用外部端末とが所定の削除時間以上、非通信状態である場合と同様に、メンテナンス終了時やメンテナンスの中断時に作業者が登録していた作業者用端末情報を削除する必要がない。これにより、作業効率を向上させることができるとともに、使用者用端末情報の誤削除を確実に防止することができる。
【００７０】
（３）上記実施の形態２では、外部端末登録部に登録されていない未登録の作業者用外部端末を登録するときに、作業者用記憶部から登録済みの作業者用端末情報が自動で削除される。しかしながら、外部端末登録部に登録されていない未登録の使用者用外部端末を新たに使用者用記憶部に登録するとき、または外部端末登録部に登録された使用者用外部端末が機器と通信可能に接続されたときに、作業者用記憶部から登録済みの作業者用端末情報が自動で削除されてもよい。この通信システムによれば、未登録の作業者用外部端末が新たに作業者用記憶部に登録される場合と同様に、メンテナンス終了時やメンテナンスの中断時に作業者が登録していた作業者用端末情報を削除する必要がない。これにより、作業効率を向上させることができるとともに、使用者用端末情報の誤削除を確実に防止することができる。
【００７１】
（４）上記実施の形態では、機器の特定の操作により手動で動作モードがメンテナンスモードに移行される。しかしながら、機器と作業者用外部端末とが通信接続されると、自動で動作モードがメンテナンスモードに移行されてもよい。
【００７２】
（５）上記実施の形態では、機器として加熱調理器が用いられているが、オーブンレンジや炊飯器、給湯器、浴室暖房乾燥機、衣類乾燥機、食器洗い乾燥機などの機器と外部端末とを通信可能に接続する通信システムにも本発明を適用することができる。
【００７３】
（６）上記実施の形態では、機器と使用者用外部端末とをペアリングするときのみパスコードを使用したが、機器と作業者用外部端末とをペアリングするときでもパスコードを使用してもよい。
【符号の説明】
【００７４】
１        加熱調理器（機器）
３        使用者用外部端末
５        作業者用外部端末
Ｐ１      使用者用記憶部
Ｐ２      作業者用記憶部
６１      外部端末登録部
１９７    登録制御部
【図１】
2020136789.tif 000003
【図２】
2020136789.tif 000004
【図３】
2020136789.tif 000005
【図４】
2020136789.tif 000006
【図５】
2020136789.tif 000007
【図６】
2020136789.tif 000008